(57)【要約】【課題】ワイヤレス応答スイッチを付加したハンズフリーインターホンシステムにおいて、ドアホン子器からの呼出に、インターホン親機から離れた場所でワイヤレス応答スイッチで応答した場合でも、ドアホン子器とで良好な交互通話ができるインターホン機器を提供する。【解決手段】通話制御手段１６は、通話スイッチ１３による応答操作を受け付けると、近距離通話モードの損失比を選択する一方、ワイヤレス応答スイッチ１４ａによる応答操作を受け付けると、遠距離通話モードの損失比を選択して、音声スイッチ１５による挿入損失を特定し、近距離通話モードの損失比は、送話音声信号のレベルと受話音声信号のレベルとがともに所定値以下である初期状態下で、音声スイッチ１５が送話音声信号と受話音声信号とを均等に通過させる値に設定されており、遠距離通話モードの損失比は、初期状態下で、送話音声信号のレベルと受話音声信号のレベルとがともに所定値以下である場合には、音声スイッチ１５が送話音声信号を優先的に通過させる値に設定されている。【選択図】図１
2006311525.tif 000002
【特許請求の範囲】
【請求項１】
呼出スイッチを有したドアホン子器と、スピーカ、マイクを有したハンズフリーインターホン機器とを有線接続するとともに、ワイヤレス応答スイッチを付加して構成されたインターホンシステムにおいて、
通話スイッチと、
上記ワイヤレス応答スイッチからの応答信号を受信するワイヤレス受信手段と、
上記マイクを通じて入力される送話音声信号と、ドアホン子器側から入力される受話音声信号とに挿入損失を行って両信号の通過を選択的に許容する音声スイッチと、
上記通話スイッチによる応答操作を受け付けると、近距離通話モードの損失比を選択する一方、上記ワイヤレス応答スイッチによる応答操作を受け付けると、遠距離通話モードの損失比を選択して、上記音声スイッチによる挿入損失を特定する通話制御手段とを備え、
上記近距離通話モードの損失比は、上記送話音声信号のレベルと上記受話音声信号のレベルとがともに所定値以下である初期状態下で、上記音声スイッチが送話音声信号と受話音声信号とを均等に通過させる値に初期設定されており、上記遠距離通話モードの損失比は、上記初期状態下で、上記音声スイッチが送話音声信号を優先的に通過させる値に初期設定されていることを特徴とするインターホン機器。
【請求項２】
請求項１において、
上記音声スイッチを通過し上記スピーカに入力される受話音声信号の増幅利得である第一利得を可変とされる受話音声室内側増幅手段と、
上記マイクを通じて、上記音声スイッチに入力される送話音声信号の増幅利得である第二利得を可変とされる送話音声室内側増幅手段とを更に備え、
上記通話制御手段は、上記近距離通話モードの損失比を選択したときには、第一利得と第二利得をそれぞれの所定の基準値に設定する一方、上記遠距離通話モードの損失比を選択したときには、第一利得を上記近距離通話モードにおける所定の基準値よりも高くし、第二利得を上記近距離通話モードにおける所定の基準値よりも低くすることを特徴とするインターホン機器。
【請求項３】
請求項２において、
上記音声スイッチを通過しドアホン子器に出力される送話音声信号の増幅利得である第三利得を可変とされる送話音声子器側増幅手段と、
ドアホン子器から上記音声スイッチに入力される受話音声信号の増幅利得である第四利得を可変とされる受話音声子器側増幅手段とを更に備え、
上記通話制御手段は、上記近距離通話モードの損失比を選択したときには、第三利得と第四利得をそれぞれの所定の基準値に設定する一方、上記遠距離通話モードの損失比を選択したときには、第三利得を上記近距離通話モードにおける所定の基準値よりも高くし、第四利得を上記近距離通話モードにおける所定の基準値よりも低くすることを特徴とするインターホン機器。
【請求項４】
請求項１乃至３において、
上記通話制御手段は、上記通話スイッチに所定の操作入力がなされたことを検知すると、引き続いて上記音声スイッチを所期の時間長だけ背景雑音設定モードに移行させ、この背景雑音設定モードで上記音声スイッチにて観測されるマイクからの送話音声信号レベルとドアホン子器から伝送されてくる受話音声信号レベルとの和の最大値を、上記初期状態を与える上記所定値として上記音声スイッチに記憶させるものであり、
所期の時間長が経過して背景雑音設定モードが自動解除されると、上記音声スイッチは、直前の背景雑音設定モードにおける上記所定値をもって、上記初期状態か否かを判別することを特徴とするインターホン機器。
【発明の詳細な説明】
【技術分野】
【０００１】
本発明は、呼出スイッチを有したドアホン子器と、スピーカ、マイクを有したインターホン機器とを有線接続するとともに、ワイヤレス応答スイッチを付加して構成されたインターホンシステムにおける、該インターホン機器の改良に関する。
【背景技術】
【０００２】
この種のインターホンシステムは、壁面に設置されたインターホン機器（親機）に対して、手が届かない子供や、イスからの立ち上がりが難しい年配者などでも、ドアホン子器からの呼び出しに対して応答ができるように、リモコン等のワイヤレス応答スイッチを設けている。
【０００３】
そのようなインターホンシステムとして、次の特許文献には、赤外線リモコン信号によりハンズフリー通話の開始、終了を制御するようにして、親機から離れた場所からドアホン子器への応答，通話を可能にしたインターホン装置が開示されている。
【０００４】
この特許文献のインターホン装置は、ハンズフリー通話を制御する通話制御部と、赤外線リモコン送信機が送信するハンズフリー通話の開始と終了を指令する制御信号を受信して前記通話制御部に入力する赤外線受信部とを親機内に備えた構成にされている。
【特許文献１】特開平０６−１３３０６４号公報
【発明の開示】
【発明が解決しようとする課題】
【０００５】
しかしながら、上記したような、インターホン装置では、低コスト化のために、リモコンにはマイク、スピーカなどの通話手段を搭載していないため、ワイヤレス応答スイッチで応答操作はできても、通話はできず、通話を行うためには、話者が親機に近づき、そのマイク、スピーカを通じて通話をしなければならないという問題があった。すなわち、このインターホン装置において近距離にいる話者に対応した設計がなされているならば、親機から遠距離にいる話者にとっては、親機のスピーカから聞こえるドアホン子器からの音声は小さくなり、更に、音声スイッチを採用した親機では、親機のマイクで集音される話者の音声も小さくなるので、音声が伝わりにくくなるという問題があった。このような不具合は、親機を、リモコンのワイヤレス応答スイッチに無線応答してドアホン子器と通話開始可能であるのみならず、親機ハウジング表面の通話応答スイッチを押下してもドアホン子器と通話開始可能であるようにつくる場合に、顕著な問題となる。
【０００６】
本発明は、そのような問題を解決し、インターホン機器（親機）と話者との距離が近い場合、遠い場合の両者に対応し、そのいずれの場合でも、音声を確実に伝わらせて、通話音量が確実に確保できるインターホン機器を提供することを目的としている。
【課題を解決するための手段】
【０００７】
上記課題を解決するため、請求項１では、呼出スイッチを有したドアホン子器と、スピーカ、マイクを有したハンズフリーインターホン機器とを有線接続するとともに、ワイヤレス応答スイッチを付加して構成されたインターホンシステムにおいて、
通話スイッチと、
上記ワイヤレス応答スイッチからの応答信号を受信するワイヤレス受信手段と、
上記マイクを通じて入力される送話音声信号と、ドアホン子器側から入力される受話音声信号とに挿入損失を行って両信号の通過を選択的に許容する音声スイッチと、
上記通話スイッチによる応答操作を受け付けると、近距離通話モードの損失比を選択する一方、上記ワイヤレス応答スイッチによる応答操作を受け付けると、遠距離通話モードの損失比を選択して、上記音声スイッチによる挿入損失を特定する通話制御手段とを備え、
上記近距離通話モードの損失比は、上記送話音声信号のレベルと上記受話音声信号のレベルとがともに所定値以下である初期状態下で、上記音声スイッチが送話音声信号と受話音声信号とを均等に通過させる値に初期設定されており、上記遠距離通話モードの損失比は、上記初期状態下で、上記音声スイッチが送話音声信号を優先的に通過させる値に初期設定されている。
【０００８】
請求項２では、請求項１において、
上記音声スイッチを通過し上記スピーカに入力される受話音声信号の増幅利得である第一利得を可変とされる受話音声室内側増幅手段と、
上記マイクを通じて、上記音声スイッチに入力される送話音声信号の増幅利得である第二利得を可変とされる送話音声室内側増幅手段とを更に備え、
上記通話制御手段は、上記近距離通話モードの損失比を選択したときには、第一利得と第二利得をそれぞれの所定の基準値に設定する一方、上記遠距離通話モードの損失比を選択したときには、第一利得を上記近距離通話モードにおける所定の基準値よりも高くし、第二利得を上記近距離通話モードにおける所定の基準値よりも低くすることを特徴とする。
【０００９】
請求項３では、請求項２において、
上記音声スイッチを通過しドアホン子器に出力される送話音声信号の増幅利得である第三利得を可変とされる送話音声子器側増幅手段と、
ドアホン子器から上記音声スイッチに入力される受話音声信号の増幅利得である第四利得を可変とされる受話音声子器側増幅手段とを更に備え、
上記通話制御手段は、上記近距離通話モードの損失比を選択したときには、第三利得と第四利得をそれぞれの所定の基準値に設定する一方、上記遠距離通話モードの損失比を選択したときには、第三利得を上記近距離通話モードにおける所定の基準値よりも高くし、第四利得を上記近距離通話モードにおける所定の基準値よりも低くすることを特徴とする。
また、請求項４では、請求項１乃至３において、
上記通話制御手段は、上記通話スイッチに所定の操作入力がなされたことを検知すると、引き続いて上記音声スイッチを所期の時間長だけ背景雑音設定モードに移行させ、この背景雑音設定モードで上記音声スイッチにて観測されるマイクからの送話音声信号レベルとドアホン子器から伝送されてくる受話音声信号レベルとの和の最大値を、上記初期状態を与える上記所定値として上記音声スイッチに記憶させるものであり、
所期の時間長が経過して背景雑音設定モードが自動解除されると、上記音声スイッチは、直前の背景雑音設定モードにおける上記所定値をもって、上記初期状態か否かを判別することを特徴とする。
【発明の効果】
【００１０】
請求項１〜３によるインターホン機器では、ワイヤレス応答スイッチで応答したときには、音声スイッチによって加えられる挿入損失が遠距離通話モードの損失比に基づいて特定され、この損失比は、無音状態など、送話音声信号のレベルと、受話音声のレベルとがともに所定値以下である場合には、送話音声信号が受話音声信号に優先して通過される値に設定されているので、ドアホン子器側で入力される騒音などは遮断され、インターホン機器から離れた距離にいる話者の音声をドアホン子器側に確実に伝わらせることができ、通話品質が向上する。
【００１１】
請求項２では、遠距離通話モードの損失比が選択された時には、ドアホン子器からスピーカに入力される受話音声信号は、受話音声室内側増幅手段によって、第一利得が近距離通話モードにおける所定の基準値よりも大きい値に設定されるので、ドアホン子器から入力された来客の音声が大きくなり、そのため、インターホン機器から離れた距離にいる話者でも、その音声を十分に聞き取り易くできる。
【００１２】
また、このとき、マイクから出力され、音声スイッチに入力される送話音声の第二利得
は、送話音声室内側増幅手段によって近距離通話モードにおける所定の基準値よりも低い値に設定されるので、スピーカからマイクに入り込んだ送話音声信号が高レベルのまま音声スイッチに入力されて受話音声信号と比較されるために音声スイッチが受話音声信号の通過を遮断してしまうこと（所謂ブロッキング現象）が起きず、そのような室内のインターホン機器におけるスピーカからマイクへの音声回り込みによる通話品質の低下も防止できる。
【００１３】
請求項３では、更に、遠距離通話モードの損失比が選択された時には、音声スイッチを通過し、ドアホン子器に出力される送話音声信号の第三利得は、送話音声子器側増幅手段によって近距離通話モードにおける所定の基準値よりも高い値に設定されるので、インターホン機器から離れた距離にいる話者の音声も増幅され、ドアホン子器側でも聞き取りやすくなる。
【００１４】
また、このときに、ドアホン子器のマイクなどから入力され、音声スイッチに入力される受話音声信号の第四利得は、受話音声子器側損失手段によって、近距離通話モードにおける所定の基準値よりも低い値に設定されるので、受話音声信号が高レベルのまま音声スイッチに入力されて送話音声信号と比較されるために音声スイッチが送話音声の通過を遮断してしまうことが起きず、そのような玄関のドアホン子器におけるスピーカからマイクへの音声回り込みによる通話品質の低下も防止できる。
さらに、請求項４によれば、音声スイッチは、直前の背景雑音設定モードにおいて測定した所定値をもって、以後、背景雑音のみかそれとも音声が入力されたのかを判別する閾値とみなし、初期状態すなわち非通話状態であるか否かを判別することができる。つまり、本願発明に係るインターホンシステムの施工場所に応じて、背景雑音の閾値を学習させることができ、背景雑音のみであるときに通話音声だと誤認識せずに済むという優れたインターホンシステムを提供できる。
【発明を実施するための最良の形態】
【００１５】
以下、本発明の実施例を、図を参照して説明する。
以下の実施例では、インターホンシステムは、インターホン機器（親機）とドアホン子器とで構成されているが、複数のドアホン子器と、複数のインターホン機器（親機、副親機）とで構成してもよい。
【００１６】
図１は、本発明によるインターホン機器１を備えたインターホンシステムＳの概略構成を説明するブロック図であり、本発明に関連しない構成要素は省略している。
【００１７】
ここで、１は屋内などに設置されるインターホン機器、２は２線式等のケーブルＬを介してインターホン機器１に接続される、玄関先などに設置されるドアホン子器である。インターホン機器１とドアホン子器２は、２線式ケーブルＬを通じて接続されており、インターホン機器１からドアホン子器２へ供給する駆動電源の他に、音声信号、呼出信号など周波数多重化して送受している。
【００１８】
インターホン機器１は、スピーカＳＰとマイクＭＣ、受話音声室内側増幅手段１１、ドアホン子器２からの呼出に応答するため操作される通話スイッチ１３、ワイヤレス受信手段１４、通話制御手段１６によって特定された挿入損失の初期値を送話音声信号、受話音声信号に加え、以降は通話制御手段１６によって挿入損失が再設定されない限り独立して送話と受話の両音声信号に適宜挿入損失を施す音声スイッチ１５、損失比を選択して挿入損失を特定する通話制御手段１６、送話音声子器側増幅手段１７、送話音声室内側増幅手段１８、受話音声子器側増幅手段１９を備えており、ワイヤレス受信手段１４は、ワイヤレス応答スイッチ１４ａを設けたワイヤレス操作器ＲＣから赤外線や無線等によって送出されて来る操作信号を受信している。
【００１９】
音声スイッチ１５は、後述の通話制御手段１６から送話側挿入損失量および受話側挿入損失量を設定されて送話音声と受話音声との両音声に損失を適宜挿入する。音声スイッチ１５は、通話制御手段１６から挿入損失量の設定を施されるまでは、送話と受話との択一的通過制御を独立して行うものであり、通話制御手段１６が通話スイッチ１３とワイヤレス受信手段１４とのいずれかに入力を検知するたびに、通話制御手段１６から挿入損失量の設定、つまり近距離通話モードと遠距離通話モードの択一設定を施される。
【００２０】
通話制御手段１６は、ドアホン子器２からの呼出に対して、通話スイッチ１３で応答した場合には、近距離通話モードの損失比を選択する一方、ワイヤレス応答スイッチ１４ａで応答した場合には、遠距離通話モードの損失比を選択して音声スイッチ１５による挿入損失を特定するものであり、音声スイッチ１５に近距離通話モードと遠距離通話モードとの択一設定を施し、これにより音声スイッチ１５が送話と受話との択一的通過制御を施す際に適用される挿入損失特性を決定する。
【００２１】
この挿入損失特性を図２から図４を用いて以下に説明する。従来から、音声スイッチ１５は、図２に示すような機能ブロック構成であらわされるものであり、ドアホン子器２から流れてきてスピーカＳＰで鳴動させる受話音声信号に信号損失を与え減衰させる役割の受話アッテネータブロックＲＸＡＴＴと、マイクＭＣでひろってドアホン子器２へ流す送話音声信号に信号損失を与え減衰させる役割の送話アッテネータブロックＴＸＡＴＴと、受話アッテネータブロックＲＸＡＴＴへの入力直前の受話音声信号Ｒｉｎと送話アッテネータブロックＴＸＡＴＴへの入力直前の送話音声信号Ｔｉｎとを比較して送話音声信号Ｔｉｎと受話音声信号Ｒｉｎとの両者のうち音量が小さいほうについて送話アッテネータブロックＴＸＡＴＴ又は受話アッテネータブロックＲＸＡＴＴに挿入する信号損失量を増加する損失制御部とによって構成されている。本願発明では、受話アッテネータブロックＲＸＡＴＴのドアホン子器２側（Ｒｉｎ）には受話音声子器側増幅手段１９が接続されており、受話アッテネータブロックＲＸＡＴＴのスピーカＳＰ側（Ｒｏｕｔ）には受話音声室内側増幅手段１１が接続されており、さらに、送話アッテネータブロックＴＸＡＴＴのドアホン子器２側（Ｔｏｕｔ）には送話音声子器側増幅手段１７が接続されており、送話アッテネータブロックＴＸＡＴＴのマイクＭＣ側（Ｔｉｎ）には送話音声室内側増幅手段１８が接続されている。
このような音声スイッチ１５は、従来では、図３にあらわすように、送話アッテネータブロックＴＸＡＴＴに挿入する信号損失量が右下がりの特性となるように設計されており、これとの和が一定値となるように受話アッテネータブロックＲＸＡＴＴに挿入する信号損失量が右上がりの特性となるように設計されている。この図２のグラフでは、縦軸に、送話アッテネータブロックＴＸＡＴＴと受話アッテネータブロックＲＸＡＴＴとのそれぞれに挿入する信号損失量をあらわし、ゼロ（デシベル）からＬ（デシベル）に増える（図3の下方）につれて信号損失量が増大し音声信号の減衰が大きくなることをあらわしている。また、非通話時には同グラフ中央の（０）であらわす待機状態（これを初期状態と称する）に設定されており、送話アッテネータブロックＴＸＡＴＴと受話アッテネータブロックＲＸＡＴＴとのそれぞれに挿入する信号損失量は等しくＬ／２（デシベル）に設定されている。
この初期状態（０）を起点として、ドアホン子器２側から音声信号（受話信号）がとどくと、送話アッテネータブロックＴＸＡＴＴにＬ（デシベル）の信号損失量が挿入されてマイクＭＣからの室内音が送話アッテネータブロックＴＸＡＴＴで抑圧され、同時に、受話アッテネータブロックＲＸＡＴＴには信号損失量がゼロ（デシベル）まで引き上げられてスピーカＳＰへの受話音声が抑圧されずにスピーカＳＰで鳴動することになる（図３の状態（1））。
また、初期状態（０）を起点として、マイクＭＣに室内音声（送話信号）が入力されると、受話アッテネータブロックＲＸＡＴＴにＬ（デシベル）の信号損失量が挿入されてドアホン子器２側からの音声信号が受話アッテネータブロックＲＸＡＴＴで抑圧され、同時に、送話アッテネータブロックＴＸＡＴＴには信号損失量がゼロ（デシベル）まで引き上げられてマイクＭＣからの送話信号が抑圧されずにドアホン子器２側へ伝送されることになる（図３の状態（2））。
なお、初期状態（０）を起点として、図３の状態（1）又は（2）に直接的に状態遷移するわけではなく、図２のグラフで送話アッテネータブロックＴＸＡＴＴの信号損失量と受話アッテネータブロックＲＸＡＴＴの信号損失量との和が常に一定値Ｌ（デシベル）を保つようにして、アナログ的に遷移していく。
本願発明では、さらに、通話制御手段１６が、通話スイッチ１３に所定の操作入力がなされたことを検知すると、引き続いて音声スイッチ１５を所期の時間長だけ背景雑音設定モードに移行させ、この背景雑音設定モードで音声スイッチ１５にて観測されるマイクＭＣからの送話音声信号レベルとドアホン子器２から伝送されてくる受話音声信号レベルとの和の最大値を、初期状態（０）を与える所定値として音声スイッチ１５に記憶させる。この初期状態（０）を与える所定値とは、図４であらわすように、背景雑音の許容範囲であり、背景雑音の許容範囲の最大値である。これを閾値として、本願発明の音声スイッチ１５は、図３の初期状態（０）から状態（1）又は（2）へのアナログ的な状態遷移を開始する。従って、来客がなくしかも室内も通常の静けさにある状態で、背景雑音設定モードに移行する必要がある。
背景雑音設定モード開始から所期の時間長が経過すると、通話制御手段１６は音声スイッチ１５を背景雑音設定モードから解除し、音声スイッチ１５は、直前の背景雑音設定モードにおける上記所定値をもって、上記初期状態か否かを判別する。すなわち、図４にあらわしたように、来客がドアホン子器２の呼び出しボタンを押して「ごめんください」と言葉を発すると、この「ごめんください」の音量が上記所定値を超え、図３の初期状態（０）から状態（1）へ状態遷移し、受話状態となる。来客が「ごめんください」の言葉を言い終えると、背景雑音しか残らないので音量は上記所定値を超えず図３の状態（1）から初期状態（０）へ状態遷移し、住戸人が応答すべく通話スイッチ１３を押下して「どちらさまですか」と言葉を発すると、この「どちらさまですか」の音量が上記所定値を超え、図３の初期状態（０）から状態（2）へ状態遷移し、受話状態となる。来客が「どちらさまですか」の言葉を言い終えると、背景雑音しか残らないので音量は上記所定値を超えず図３の状態（2）から初期状態（０）へ状態遷移する。このようにして片方向の音声伝送がシーソー方式で継続されることで、来客と室内との通話が可能となる。
このようにして、近距離通話モード用の挿入損失特性では、送話音声信号のレベルと受話音声信号のレベルとがともに所定値以下である場合に対し、両者に対する音声スイッチ１５の挿入損失量がほぼ同一になるような損失比が設定されている。これは、インターホン機器１から近距離、例えば５０ｃｍ程度の距離に居る話者がドアホン子器２側の話者と通話することを想定したものであり、ドアホン子器２側に伝送される送話音信号と、ドアホン子器２側からインターホン機器１のスピーカＳＰに入る受話音声信号とがほぼ同等の信号レベルを有することを前提としている。なお、従前のハンズフリーインターホンシステムにおける音声スイッチの損失比もほぼ同様な設定になっている。
【００２２】
これに対して、遠距離通話モード用の挿入損失特性では、送話音声信号のレベルと受話音声信号のレベルとがともに所定値以下である場合に対して、受話音声信号の挿入損失量が送話音声信号の挿入損失量よりも十分に大きくなるような損失比が設定されている。これは、インターホン親機１から遠距離、例えば、２ｍ程度にいる話者がドアホン子器２側の話者と通話することを想定したものであり、マイクＭＣからドアホン子器２側に伝送される送話音声信号が、ドアホン子器２側からスピーカＳＰに伝送される受話音声信号よりも低い信号レベルを有することを前提としている。
【００２３】
以上から理解されるように、本発明では、インターホン機器１から離れたところでワイヤレス応答スイッチ１４ａを操作して応答した場合には、音声スイッチ１５において、遠距離通話モード用の挿入損失特性が適用されるので、インターホン機器１のマイクＭＣから入力される音声レベルが小さいときでも、ドアホン子器２側からの受話やノイズ音を抑制して、ドアホン子器２側でも話者の音声を十分に確認することができ、離れたところからでもドアホン子器２と十分なハンズフリー通話が出来る。
【００２４】
図５（ａ）は図３であらわした従前どおりの近距離通話モード用の挿入損失特性図、図５（ｂ）は本願発明の特徴点である遠距離通話モード用の挿入損失比特性図であり、いずれも挿入損失を０ｄＢ〜＋ＬｄＢまで変化させている。
【００２５】
図５（ａ）で示す近距離通話モード用の挿入損失特性では、通話の開始前である待機状態のときや、通話中に受話音声信号レベルと送話音声信号レベルとがともに所定値以下であるときに、受話音声信号、送話音声信号の両者の挿入損失が同じになるように損失比が設定されている。
【００２６】
これに対して、図５（ｂ）で示す遠距離通話モード用の挿入損失特性では、待機状態では、送話音声信号の挿入損失を最小にし、かつ送話音声信号の挿入損失を最大にするように損失比が設定されており、これによって、音声スイッチ１５は、待機状態では、送話音声信号を抑制し、受話音声信号を優先的に通過させる。
【００２７】
また、本発明システムでは、遠距離通話モードの実行には、上記した損失比の選択に加えて、インターホン機器１から離れた位置でのハンズフリー通話を支障なく、快適に行うために、増幅増幅利得を可変に設定可能な、受話音声室内側増幅手段１１、送話音声子器側増幅手段１７、送話音声室内側増幅手段１８、受話音声子器側増幅手段１９を設けている。なお、図１における信号線Ｘ、Ｙは、音声信号が伝送され、図示しない２／４線伝送方式変換手段等を介して、ドアホン子器２側と通じている。
【００２８】
ここに、受話音声室内側増幅手段１１、送話音声子器側増幅手段１７、送話音声室内側増幅手段１８、受話音声損失手段１９は、送話音声信号、受話音声信号を増幅させ、あるいは減衰させるものであり、送話音声室内側増幅手段１８で減衰をうけた送話音声信号と、受話音声子器側増幅手段１９で減衰を受けた受話音声信号とが、音声スイッチ１５によって通話中に比較される。
【００２９】
ついで、本発明システムの基本動作について説明する。インターホン機器１がドアホン子器２から呼出を受けると、呼出音が鳴動される。これに対して、インターホン機器１では、通話スイッチ１３を操作して応答すると、マイクＭＣ、スピーカＳＰを通じて、ドアホン子器２との交互通話が所定時間の間可能となるが、インターホン機器１から離れて、ワイヤレス操作器ＲＣのワイヤレス応答スイッチ１４ａを操作して応答すると、その場所でマイクＭＣ、スピーカＳＰを通じて、ドアホン子器２との交互通話が所定時間の間可能となる。
【００３０】
ここで、通話スイッチ１３が操作された場合には、通話制御手段１６は、前述した近距離通話モードの損失比を選択して音声スイッチ１５を近距離通話モードに設定する一方、送話音声室内側増幅手段１８、受話音声子器側増幅手段１９に対して所定の基準値の増幅利得を設定する。
【００３１】
これにより、音声スイッチ１５は、送話音声室内側増幅手段１８、受話音声子器側増幅手段１９によって損失を受け減衰した後の送話音声信号のレベル、受話音声信号のレベルを比較する。
その比較の結果、音声スイッチ１５では、送話音声信号のレベルと、受話音声信号のレベルとがともに所定値以下におさまっている時や、双方が無音となる待機時には、受話音声信号、送話音声信号の両者の挿入損失が同じになるように損失比が設定されるので、送話音声信号、受話音声信号の両者に同程度の挿入損失が加えられる。
【００３２】
また、その比較の結果、送話音声信号のレベルが受話音声信号のレベルよりも高い場合には、送話音声信号は損失させず、受話音声信号が大きく損失されるような損失比が設定されるので、送話音声信号の通過が許容され、受話音声信号の通過が抑制された送話状態になる。
【００３３】
また逆に、その比較の結果、送話音声信号のレベルが受話音声信号のレベルよりも低い場合には、送話音声信号が大きく損失され、受話音声信号は損失されないような損失比が設定されるので、送話音声信号の通過が抑制され、受話音声信号の通過が許容された受話状態になる。
【００３４】
一方、ワイヤレス操作器ＲＣのワイヤレス応答スイッチ１４ａが操作された場合には、通話制御手段１６は、前述した遠距離通話モードの損失比を選択して音声スイッチ１５を遠距離通話モードに設定する一方、送話音声室内側増幅手段１８、受話音声子器側増幅手段１９に対して、送話音声室内側増幅手段１８よりも受話音声子器側増幅手段１９が十分に大きな増幅利得を設定する。
【００３５】
これにより、音声スイッチ１５は、送話音声室内側増幅手段１８、受話音声子器側増幅手段１９によって損失を受けた後の送話音声信号、受話音声信号のレベル同士を比較する。これによって、送話音声信号のレベルが、受話音声信号のレベルよりも低い場合にも、送話音声信号を通話させ、受話音声信号を遮断させる事態をなくしている。
そして、その比較の結果、音声スイッチ１５では、送話音声信号のレベルと、受話音声信号のレベルとが背景雑音だけであって所定値に満たない場合には、送話音声信号を受話音声信号よりも優先するような、すなわち、送話音声信号は損失させず、受話音声信号が大きく損失されるような損失比が設定される。
【００３６】
これによって、送話音声信号の通過が許容され、受話音声信号の通過が抑制されることになるので、ドアホン子器２側での騒音ノイズと、親機１のマイクＭＣから入力された遠距離にいる話者の音声とが同程度の大きさであっても、親機１側の話者の音声を送話音声信号として、ドアホン子器２に確実に伝送することができる。
【００３７】
なお、比較の結果、送話音声信号のレベルが受話音声信号のレベルよりも高い場合、あるいは逆に、送話音声信号のレベルが受話音声信号のレベルよりも低い場合については、近距離通話モードと同様なので、その説明は省略する。
【００３８】
次いで、近距離通話モード、遠距離通話モードにおける音量設定について説明する。この音量設定は、遠距離通話モードにおいては、インターホン機器１から遠距離にいる話者にはインターホン機器１のスピーカＳＰから出力される受話音声が小さくなり、かつ、話者からインターホン機器１のマイクＭＣを通じて入力される送話音声も小さくなるという状況を考慮し、受話音声室内側増幅手段１１、送話音声子器側増幅手段１７、送話音声室内側増幅手段１８、受話音声子器側増幅手段１９の増幅増幅利得を、近距離通話モード、遠距離通話モードの間で変更設定するものである。
【００３９】
すなわち、通話制御手段１６は、近距離通話モードを実行する際には、受話増幅手段１１に対しては通常の基準値となる増幅利得である第一の利得を、送話音声室内側増幅手段１８に対しては通常の基準値となる増幅利得である第二の利得を設定する一方、遠距離通話モードを実行する際には、第一利得を上記近距離通話モードにおける所定の基準値よりも高くし、第二利得を上記近距離通話モードにおける所定の基準値よりも低くする。
【００４０】
これによって、遠距離通話モードの実行中には、スピーカ１１から発声される受話音声をより大きくしてインターホン機器１側の話者には聞き取り易くするとともに、その受話音声がそのままマイクＭＣによって捉えられ、それを送話音声信号として受話音声信号と比較した結果、音声スイッチ１５によって受話音声信号を遮断させ、送話音声信号を通過させるなどという音声スイッチ１５の動作が未然に防止される。
【００４１】
また、通話制御手段１６は、近距離通話モードを実行する際には、送話音声子器側増幅手段１７に通常の基準値となる増幅利得である第三の利得を、受話音声子器側増幅手段１９には通常の基準値となる増幅利得である第四の利得を設定する一方、遠距離通話モードを実行する際には、第三利得を上記近距離通話モードにおける所定の基準値よりも高くし、第四利得を上記近距離通話モードにおける所定の基準値よりも低くする。
【００４２】
これによって、遠距離通話モードの実行中には、インターホン機器１側の話者から発声されてマイクＭＣによって捉えられた（近距離通話モードよりも小さい）送話音声信号を、送話音声子器側増幅手段１７によって増幅して、ドアホン子器２側で聞き取り易くするとともに、その送話音声が、ドアホン子器２の図示しないマイクによって捉えられ、それを受話音声信号として送話音声信号と比較した結果、音声スイッチ１５によって送話音声信号を遮断させ、受話音声信号を通過させるなどという、音声スイッチ１５の不安定な動作が未然に防止される。
【００４３】
図６には、受話音声室内側増幅手段１１、送話音声子器側増幅手段１７、送話音声室内側増幅手段１８、受話音声損失手段１９に設定される音量設定の一例を、近距離通話モードに対する遠距離通話モードの利得、損失の差分として示している。
【００４４】
すなわち、遠距離通話モードでは、受話音声室内側増幅手段１１は＋ＡｄＢ、送話音声増幅手段１７は−ＡｄＢ、送話音声室内側増幅手段１８は−ＡｄＢ、受話音声子器側増幅手段１９は更に−（Ａ＋Ｂ）ｄＢだけ、近距離通話モードの所定の基準値よりも増減させた設定値となっている。ここに、受話音声子器側増幅手段１９の設定値が−（Ａ＋Ｂ）ｄＢとなっているのは、遠距離通話モード中は、親機１側の話者から発声されてマイクＭＣによって捉えられる送話音声信号の距離分による減衰を見込み、これを補償するためであるが、これらの設定値は、近距離通話モード、遠距離通話モードのいずれも、実際のシステムを考慮して、最適な値に設定されることはいうまでもない。
【００４５】
図７は、本発明によるインターホン機器１を備えたインターホンシステムＳのより具体的な構成を説明するブロック図である。このインターホンシステムＳは、複数のドアホン子器２（＃１）〜２（＃３）と、複数のインターホン機器（親機１、副親機３）とで構成されるインターホンシステムの例である。図において、実施例１と共通又は相当する構成要素には、同一の参照符号を与えている。
【００４６】
親機１は、マイコン等で構成され、他の構成要素を制御する通話制御手段１６、スピーカＳＰとマイクＭＣ、表示部ＤＩＳＰ、受話音声室内側増幅手段１１、ドアホン子器２（＃１）〜２（＃３）からの呼び出しに応答するため操作される通話スイッチ１３、ワイヤレス受信手段１４、送話音声信号と受話音声信号のそれぞれに対して挿入損失を加える音声スイッチ回路１５ａ、１５ａ、送話音声信号と受話音声信号とを計測、比較し、通話制御手段１６が施した近距離通話モード、遠距離通話モードの択一設定に基づき、音声スイッチ回路１５ａ、１５ａのそれぞれに適用される挿入損失量を適宜決定する音声スイッチ制御部１５ｂ、送話音声子器側増幅手段１７、送話音声室内側増幅手段１８、受話音声子器側増幅手段１９、２／４線伝送方式変換手段１１１、受話音声補助増幅手段１１２、送話音声補助増幅手段１１３、ドアホン子器２（＃１）〜２（＃３）のいずれかを選択する通話路切替手段１１４、ドアホン子器２（＃１）〜２（＃３）からの呼び出し等の制御信号を受信する制御信号受信手段１１５、ドアホン子器２（＃１）〜２（＃３）のいずれか、またはインターホン副親器３との間で制御信号を送受信する制御信号送受信手段１１６、ドアホン子器２（＃１）〜２（＃３）にそれぞれ対応した子器接続端子ＴＡ＃１〜ＴＡ＃３、インターホン副親機３に対応した副親機接続端子ＴＢを備えており、ワイヤレス受信手段１４は、ワイヤレス応答スイッチ１４ａを設けたワイヤレス操作器ＲＣから赤外線や無線等によって送出されてくる操作信号を受信している。
【００４７】
なお、音声スイッチ１５ａ、１５ａと、音声スイッチ制御部１５ｂと、送話音声損失手段１８と、受話音声子器側増幅手段１９とは、音声スイッチ集積回路１５として一体化されている。
【００４８】
通話制御手段１６は、ドアホン子器２（＃１）〜２（＃３）からの呼出に対して、通話スイッチ１３で応答した場合には、近距離通話モードの損失比を選択する一方、ワイヤレス応答スイッチ１４ａで応答した場合には、遠距離通話モードの損失比を選択して音声スイッチ１５による挿入損失を特定して、音声スイッチ制御部１５ｂを、近距離通話モード、または遠距離通話モードに設定する。
【００４９】
ドアホン子器２（＃１）は、スピーカＳＰ２とマイクＭＣ２、呼出スイッチ２１、子器制御部２２、子器制御信号受信手段２３、子器受話音声室内側増幅手段２４、子器送話信号増幅手段２５、子器２／４線伝送方式変換手段２６を備える。
【００５０】
副親機３は、親機１とほぼ同等の構成、機能とされるので、その説明は割愛する。
【００５１】
このインターホンシステムＳの基本動作は次のようになる。すなわち、ドアホン子器２（＃１）〜２（＃３）のいずれかで呼出スイッチ２１が操作されると、親機１、副親機３の両者で、ピンポン等の呼出音がスピーカＳＰから出力される。そして、親機１で、通話スイッチ１３または、ワイヤレス応答スイッチ１４ａが操作されると、それに応じて、通話制御手段１６は、上述した近距離通話モード、あるいは、遠距離通話モードを開始し、それぞれのモードに応じて、受話増幅手段１１、送話音声増幅手段１７、送話音声室内側増幅手段１８、受話音声子器側増幅手段１９の増幅利得（増幅利得）、損失利得を設定する。
【００５２】
そのあと、近距離通話モード、あるいは遠距離通話モードの実行中は、音声スイッチ制御部１５ｂによって、送話音声信号のレベルと受話音声信号のレベルとが逐次比較され、その比較結果に基いて音声スイッチ１５ａ、１５ａによる挿入損失量が特定される。これにより、所定時間は、親機１と、ドアホン子器２との通話が可能になる。一方、インターホン副親機３は、そのときには、通話から遮断状態になっている。なお、インターホン親機１の代わりに、インターホン副親機３で、図示しない通話スイッチ１３または、ワイヤレス応答スイッチ１４ａが操作された場合も同様である。
【００５３】
図８、９のそれぞれは、このインターホンシステムＳにおける、近距離通話モード、あるいは、遠距離通話モードでの各構成要素の動作を時刻に従って説明するタイムチャートである。
【００５４】
なお、以上の説明では、ゲインコントロールする組合せは、符号１１、符号１７の増幅手段の組合せであったが、これに限られず、符号１１２、符号１１３の増幅手段の組合せにしてもよい。
【図面の簡単な説明】
【００５５】
【図１】本発明のインターホン機器の概略構成を説明するブロック図。
【図２】従来並びに本発明のインターホン機器の音声スイッチを説明するブロック図。
【図３】同上の音声スイッチの音声損失挿入と状態遷移の関係を説明する特性図。
【図４】本発明の音声スイッチの背景雑音を無視する閾値を説明する特性図。
【図５】（ａ）は近距離通話モード用の挿入損失特性図、（ｂ）は遠距離通話モード用の挿入損失比特性図。
【図６】受話音声室内側増幅手段、送話音声子器側増幅手段、送話音声室内側増幅手段、受話音声損失手段に設定される増幅利得、増幅利得の一例を説明する図面。
【図７】本発明のインターホン機器のより具体的な構成を説明するブロック図。
【図８】近距離通話モードの動作を説明するタイムチャート。
【図９】遠距離通話モードの動作を説明するタイムチャート。
【符号の説明】
【００５６】
１      インターホン機器
２      ドアホン子器
ＳＰ    スピーカ
ＭＣ    マイク
１３    通話スイッチ
１４    ワイヤレス受信手段
１４ａ  ワイヤレス応答スイッチ
１５    音声スイッチ（音声スイッチ集積回路）
１６    通話制御部
１１    受話音声室内側増幅手段
１７    送話音声子器側増幅手段
１８    送話音声室内側増幅手段
１９    受話音声子器側増幅手段
Ｓ      インターホンシステム
【図１】
2006311525.tif 000003
【図２】
2006311525.tif 000004
【図３】
2006311525.tif 000005
【図４】
2006311525.tif 000006
【図５】
2006311525.tif 000007
【図６】
2006311525.tif 000008
【図７】
2006311525.tif 000009
【図８】
2006311525.tif 000010
【図９】
2006311525.tif 000011